【手続補正書】
【提出日】平成30年12月27日(2018.12.27)
【手続補正１】
【補正対象書類名】明細書
【補正対象項目名】００２０
【補正方法】変更
【補正の内容】
【００２０】
図３〜図７及び図１０に示すように、ハウジング１６は、第１ハウジング要素３０と、第１ハウジング要素３０に連結すること例えば差し込むことが可能でその連結によりハウジング１６が完成する第２ハウジング要素３２とを有している。実施形態によっては、第１ハウジング要素３０及び第２ハウジング要素３２が、連結時に、内部部材をハウジング１６内への流体侵入から保護できるよう概ね流体密なシール（封止部）を形成する。ここで示した実施形態ではハウジング１８が２個のハウジング要素３０，３２を有しているが、それら２個の相独立な要素に代え１個の単体要素でハウジング２０を形成することも難しくない。
【手続補正２】
【補正対象書類名】明細書
【補正対象項目名】００２８
【補正方法】変更
【補正の内容】
【００２８】
図示実施形態では、第２リム４８の前傾角により、装着が過剰に阻害されないようにしながら、器具１２からの本装置１０の分離に抗するセルフロック効果即ち入楔効果を提供している。図８から最もよく分かるように、本装置１０が器具１２上に装着（或いは逆に器具１２が本装置１０の空洞／開口内に挿入）されているとき、器具１２の外面がタング５０と接触すると、それによりタング５０上ひいては出っ張り４０上に先端方向の力が作用する。出っ張り４０がこれにより前方（先端方向）及び外方に付勢されるので、器具１２上での保持力が穏当になる。他方、諸部品を逆方向（図８では器具１２を相対的に右、本装置１０を相対的に左）に動かそうとすると、器具１２の表面とタング５０との間の接触を通じ、タング５０上ひいては出っ張り４０上に基端方向（後方）の力が作用する。その出っ張りがこれにより後方（基端方向）及び内方に付勢されるので、器具１２に対し出っ張り４０が入楔される等、出っ張り４０が器具１２に及ぼす力が強まるため、器具１２上における本装置１０の保持性が高まる。この動作は、器具１２及び本装置１０の不意な分離を防ぐのに役立つ。
【手続補正３】
【補正対象書類名】明細書
【補正対象項目名】００３８
【補正方法】変更
【補正の内容】
【００３８】
図１４及び図１５として示されているのは、それぞれ、第２プレート２４の前斜視図及び後斜視図である。この第２プレート２４は、第１プレート２０に固定又は形成された複数個の電気回路９６，９８，９９と、回路９６，９８及び第２プレート２４を貫き延びる複数個の開口１００，１０２，１０４，１０６と、プレート２４を貫き延びる開口１００，１０２，１０４，１０６の位置にて第２プレート２４の第１面上にある回路９６，９８，９９に固定された複数個の圧縮バネ１０８とを有している。この実施形態では圧縮バネ１０８を示したが、既知の又は既知となるであろう他の付勢機構をそれに代え使用してもよい。
【手続補正４】
【補正対象書類名】明細書
【補正対象項目名】００３９
【補正方法】変更
【補正の内容】
【００３９】
図１６からよく分かるように、複数個ある電源２８は第１プレート２０・第２プレート２４間に亘っており、その電源２８の端子１１０は第２プレート２４の開口１００，１０２，１０４，１０６を貫き延びている。組立後に、端子１１０を第２プレート２４の第２面に半田付けすることで、電源２８をその場に固定することができる。圧縮バネ１０８は、圧縮状態では電源２８の導電性外殻、例えばアルミニウム又は鋼たりうるそれと接触する。この圧縮バネ１０８に内在する復元バネ力が、電源２８の外殻との接触を維持するのに役立つ。同じく図１６から分かるように、光源１８に備わっていて径方向内側にある端子８６，８８は互いに電気的に導通していない。従って、完全な又は閉じた回路が形成されておらず、光源１８には電力が流れ込んでいない。
【手続補正５】
【補正対象書類名】明細書
【補正対象項目名】００４４
【補正方法】変更
【補正の内容】
【００４４】
器具１２から本装置１０が外される際には逆の動作によって光源１８がターンオフされる。外される際にフレーム２２及びベロ−７０に働く摩擦力は装着する際のそれとは逆方向である。これらの力や、装着する際にその伸長によりベロ−７０内に蓄積された復元バネ力は、フレーム２２例えばベロ−７０を縮ませ、ひいては導電プレート７２を本装置１０の他構成部材に対し基端方向に動かす。その結果、ベロ−７０が図９に示したポジションへと縮み又は圧縮されるため、導電プレート７２が第１プレート２０及び径方向内方のプロング８６，８８から分離される。プロング８６，８８は互いに電気的に導通しなくなり、それにより回路が開かれる。そのため、本照明装置１０が器具１２に取り付けられていないときには、その光源１８はもはや発光しない。
【手続補正６】
【補正対象書類名】明細書
【補正対象項目名】００４７
【補正方法】変更
【補正の内容】
【００４７】
照明付器具１００の諸構成要素は、指示のある個所を除き照明装置１０のそれと略同様である。例えば、本装置１００は、照明付装置１０と同様、ハウジング１１６とコードレス電源から給電を受ける少なくとも１個の光源１１８とを有し、自装置１００の基端から先端へと延びる開口又は空洞内に器具を受け容れる構成である。その空洞は、器具１１２の所定部分が本装置１００で囲まれるよう、例えば当該所定部分に本装置１０を取り付けうるよう形状設定及び構成されている。図示の通り、本装置１００は、器具１１２の先端上に連接させうるよう構成されている。このような構成では、光源１１８がシャフト１１４の極力近く、例えば手術部位の近くに位置することとなるが、器具１１２の機能性が貶められることはない。
【手続補正７】
【補正対象書類名】明細書
【補正対象項目名】００４８
【補正方法】変更
【補正の内容】
【００４８】
図１７から分かるように、ハウジング１１６は先端から延びる出っ張り１１７を有しており、本装置の貫通孔がその出っ張り１１７により取り巻かれている。この出っ張り１１７によりその先端にリム１１９が形成されている。出っ張り１１７及びリム１１９の内径は、シャフト１１４を器具の先端に十分に挿入及び実装できるほど大きいが、シャフトのカラー１１５の外径よりは小さい。従って、シャフト１１４を器具内に挿入するとカラー１１５・リム１１９間に寸法的干渉が生じ、それにより、器具１１２の先端からの本装置１００の脱落が妨げられる。本装置１１０は、シャフト１１４、より具体的にはそのショルダ１１５により、器具にしっかりと固定される。シャフト１１４を器具１１２から取り外せる場合、更に、照明装置１０に関し上述したのと似た要領で、器具から本装置１１０を取り外すことができる。
【手続補正８】
【補正対象書類名】図面
【補正対象項目名】全図
【補正方法】変更
【補正の内容】
【図１】
2018186100.tif 000001
【図２】
2018186100.tif 000002
【図３】
2018186100.tif 000003
【図４】
2018186100.tif 000004
【図５】
2018186100.tif 000005
【図６】
2018186100.tif 000006
【図７】
2018186100.tif 000007
【図８】
2018186100.tif 000008
【図９】
2018186100.tif 000009
【図１０】
2018186100.tif 000010
【図１１】
2018186100.tif 000011
【図１２】
2018186100.tif 000012
【図１３】
2018186100.tif 000013
【図１４】
2018186100.tif 000014
【図１５】
2018186100.tif 000015
【図１６】
2018186100.tif 000016
【図１７】
2018186100.tif 000017
【図１８】
2018186100.tif 000018
【図１９】
2018186100.tif 000019